(57)【要約】【課題】開放状態の維持を容易に確保することができるうえ、シャッター開度の制御を容易に行うことができる吹出風量可変シャッターを提供する。【解決手段】ダクト１３の中央付近からダクト１３の内壁面に跨るように回動可能な一対のシャッタープレート１６が室内機の吹出口付近のダクト内に配置され、常時は一対のシャッタープレートがダクト中央付近で対向するように付勢するスプリングが一対のシャッタープレート間に跨って設けられ、調整部材により一対のシャッタープレートをスプリングの付勢に抗してダクト内壁面側に回動される。【選択図】        図１
2004347237.tif 000002
【特許請求の範囲】
【請求項１】
室内機の吹出口付近のダクト内に配置された吹出風量可変シャッターにおいて、
前記ダクトの中央付近からダクト内壁面に跨るように回動可能な一対のシャッタープレートと、該一対のシャッタープレート間に跨って設けられ且つ常時は前記一対のシャッタープレートが前記ダクト中央付近で対向するように付勢するスプリングと、前記一対のシャッタープレートを前記スプリングの付勢に抗して前記ダクト内壁面側に回動させる調整部材とを備えていることを特徴とする吹出風量可変シャッター。
【請求項２】
前記調整部材は、楕円形状の回転部材を備え、その回転に伴う径の変化量に応じて前記シャッター本体の開度が可変することを特徴とする請求項１に記載の吹出風量可変シャッター。
【発明の詳細な説明】
【０００１】
【発明の属する技術分野】
本発明は、空調機器、特に室内機の吹出し口付近に配置されてその吹出し口からの温風又は冷風の吹出し風量を調整する風量可変シャッターに関する。
【０００２】
【従来の技術】
従来から、空調機器、特に室内機の吹出し口付近には、その吹出口からの温風又は冷風の吹出し風量を調整することを機械的に可能とする可変シャッターが知られている（例えば、特許文献１参照。）。
【０００３】
この特許文献１に開示の可変シャッターは、ダクト先端の対向する内側壁間に先方を互いに逆向きに曲成した二枚の羽根を先方が膨出した形状に合掌した閉状態と、ダクト内を遮断するよう先方を開離した開状態との範囲内で夫々揺動自在となるよう両側縁をもって支持すると共に、その二枚の羽根を夫々所望の位置に固定し得るように羽根の固定手段を設けている。
【０００４】
また、この羽根の固定手段としては、一対の羽根を夫々互いに反対向きに先方を曲成し、一方の羽根の元方に設けられた円筒部の外周に他方の羽根のＣ字状支持部を環装することによって揺動自在とすると共に、一方の羽根の円筒部にダクト側から突出した支持軸を嵌入した場合に所望の揺動位置で固定できるよう支持軸の外径と円筒部の内径の嵌合度が設定され、他方の羽根のＣ字状支持部の内径と一方の羽根の円筒部の外径との嵌合度を調節することで適度な摩擦力を生じさせ、この摩擦力によって他方の羽根を所望位置で固定している。
【０００５】
【特許文献１】
実開平５−６６４４７号公報
【０００６】
【発明が解決しようとする課題】
ところで、上述した吹出風量可変シャッターにあっては、一対の羽根の開度を摩擦力にて調整するものであるため、経年的な摩滅によって開放状態を維持することが困難であるうえ、その開閉位置、即ち、シャッター開度を厳密に制御することも困難であるという問題が生じていた。
【０００７】
本発明は、上記問題を解決するため、開放状態の維持を容易に確保することができるうえ、シャッター開度の制御を容易に行うことができる吹出風量可変シャッターを提供することを目的とする。
【０００８】
【課題を解決するための手段】
その目的を達成するため、本発明の吹出風量可変シャッターは、室内機の吹出口付近のダクト内に配置された吹出風量可変シャッターにおいて、前記ダクトの中央付近からダクト内壁面に跨るように回動可能な一対のシャッタープレートと、該一対のシャッタープレート間に跨って設けられ且つ常時は前記一対のシャッタープレートが前記ダクト中央付近で対向するように付勢するスプリングと、前記一対のシャッタープレートを前記スプリングの付勢に抗して前記ダクト内壁面側に回動させる調整部材とを備えていることを特徴とする。
【０００９】
このような構成によれば、ダクト中央付近からダクト内壁面に跨るように回動可能な一対のシャッタープレートが室内機の吹出口付近のダクト内に配置され、常時は一対のシャッタープレートがダクト中央付近で対向するように付勢するスプリングが一対のシャッタープレート間に跨って設けられ、調整部材により一対のシャッタープレートをスプリングの付勢に抗してダクト内壁面側に回動される。なお、スプリングだけでなく、同様の作用を生じさせる伸縮手段を用いることができる。
【００１０】
また、本発明の吹出風量可変シャッターにおける調整部材は、楕円形状の回転部材を備え、その回転に伴う径の変化量に応じて前記シャッター本体の開度が可変することを特徴とする。
【００１１】
【発明の実施の形態】
次に、本発明の吹出風量可変シャッターの実施の形態を図面に基づいて説明する。
【００１２】
図１は本発明の実施の形態に関わる吹出風量可変シャッターの要部の断面図、図２（Ａ）は本発明の吹出風量可変シャッターによるダクト全開状態の要部の断面図、図２（Ｂ）は本発明の吹出風量可変シャッターによるダクト全開状態の要部の平面図、図３（Ａ）は本発明の吹出風量可変シャッターによるダクト半開状態の要部の断面図、図３（Ｂ）は本発明の吹出風量可変シャッターによるダクト半開状態の要部の平面図、図４（Ａ）は本発明の吹出風量可変シャッターによるダクト全閉状態の要部の断面図、図４（Ｂ）は本発明の吹出風量可変シャッターによるダクト全閉状態の要部の平面図、図５はカバーを取り外した状態の室内機の正面図である。
【００１３】
図５において、室内機１１は、図示を略す吹出口に連通する４つのダクト吹出口１２と、室内空気を吸気する吸気ファンＦとを備え、ダクト吹出口１２付近のダクト１３の内部には吹出風量可変シャッター１４が独立・連動して駆動するように配置されている。
【００１４】
吹出風量可変シャッター１４は、図１に示すように、ダクト１３のダクト吹出口付近に配置されたベース１５と、このベース１５の両縁に回動可能に設けられた一対のシャッタープレート１６と、シャッタープレート１６の対向面間に跨る複数のスプリング１７と、ベース１５に回転可能に支持された調整部材１８とを備えている。
【００１５】
シャッタープレート１６は、常時はダクト中央付近で対向するようにスプリング１７により付勢され、その付勢によってダクト１３の軸線方向に沿う起立状態（図１の実線状態）と、その付勢に抗してダクト１３の内壁面に先端が当接する傾斜状態とに可変可能となっている。
【００１６】
調整部材１８は、楕円形状の回転部材１９を備え、図示を略するパルスモータ等の正逆転駆動よって所定量回転可能となっている。
【００１７】
上記の構成において、図２（Ａ），（Ｂ）に示すように、ダクト１３を全開状態とする場合には、回転部材１９を図示上下に長径、即ち、シャッタープレート１６の長手方向に沿って長径とすることにより、シャッタープレート１６がスプリング１７の付勢によって互いに接近し、ダクト１３内を流れる温風・冷風がダクト吹出口１２を経由して吹出口から送風される。
【００１８】
一方、例えば、図３（Ａ），（Ｂ）に示すように、ダクト１３を半開状態としたい場合には、回転部材１９を回転させることによりシャッタープレート１６の内壁面に回転部材１９が当接すると共に、その当接位置が長径方向に変化するため、その当接径に応じてスプリング１７の付勢に抗してシャッタープレート１６の開度が拡開方向に変化し、ダクト１３からダクト吹出口１２へと向かう風量が縮小方向に制御される。
【００１９】
他方、例えば、図４（Ａ），（Ｂ）に示すように、ダクト１３を全閉状態としたい場合には、回転部材１９をさらに回転させシャッタープレート１６の当接位置が最大長径位置となったときにスプリング１７の付勢に抗してシャッタープレート１６の開度が全開となり、ダクト１３からダクト吹出口１２へと向かう風量が遮断される。
【００２０】
このように、本発明の吹出風量可変シャッターにあっては、楕円形の回転部材１９とシャッタープレート１６との当接関係において、回転部材１９の当接径を調節することでシャッタープレート１６の開度を変化させることがでる。
【００２１】
この際、回転部材１９の回転量をパルスモータ（或いは、ソレノイド）等の駆動系で監視することにより、容易に開度を段階的（或いは無断階）に調節することができる。
【００２２】
【発明の効果】
本発明の吹出風量可変シャッターにあっては、以上説明したように構成したことにより、開放状態の維持を容易に確保することができるうえ、シャッター開度の制御を容易に行うことができる。
【図面の簡単な説明】
【図１】本発明の実施の形態に関わる吹出風量可変シャッターの要部の断面図である。
【図２】本発明の実施の形態の吹出風量可変シャッターを示し、（Ａ）は吹出風量可変シャッターによるダクト全開状態の要部の断面図、（Ｂ）は吹出風量可変シャッターによるダクト全開状態の要部の平面図である。
【図３】本発明の実施の形態の吹出風量可変シャッターを示し、（Ａ）は吹出風量可変シャッターによるダクト半開状態の要部の断面図、（Ｂ）は吹出風量可変シャッターによるダクト半開状態の要部の平面図である。
【図４】本発明の実施の形態の吹出風量可変シャッターを示し、（Ａ）は吹出風量可変シャッターによるダクト全閉状態の要部の断面図、（Ｂ）は吹出風量可変シャッターによるダクト全閉状態の要部の平面図である。
【図５】カバーを取り外した状態の室内機の正面図である。
【符号の説明】
１３  ダクト、１４  吹出風量可変シャッター、１６  シャッタープレート、１７  スプリング、１８  調整部材、１９  回転部材。
【図１】
2004347237.tif 000003
【図２】
2004347237.tif 000004
【図３】
2004347237.tif 000005
【図４】
2004347237.tif 000006
【図５】
2004347237.tif 000007